(57)【要約】【課題】良い輝度均一性を有するバックライトモジュールを提供する。【解決手段】本発明によるバックライトモジュールは導光板と線光源を含む。そのうち、導光板は、入光面を有する導光板本体と、該入光面に設けられる光経路調整溝とを含み、線光源は、該入光面の近傍に配置され、光線を発する。該光線は、光経路調整溝により調整された後に前記入光面から導光板本体に入射する。これにより、本発明によるバックライトモジュールは良い輝度均一性を有する。【選択図】図１
2007165289.tif 000002
【特許請求の範囲】
【請求項１】
入光面を有する導光板本体と、当該入光面に設置される光経路調整溝とを含む導光板と、
前記入光面の近傍に設置され、光を発する線光源と、
を含み、
前記線光源からの光は、前記光経路調整溝により屈折された後に前記入光面から前記導光板本体に入射する、
バックライトモジュール。
【請求項２】
前記光経路調整溝は、互いに接続する複数のサブ入光面を含み、前記線光源からの前記光は、当該複数のサブ入光面から前記光経路調整溝に入射する、
請求項１に記載のバックライトモジュール。
【請求項３】
前記複数のサブ入光面の各々は、平面または曲面を含む、
請求項２に記載のバックライトモジュール。
【請求項４】
前記複数のサブ入光面の各々の延伸方向は、前記線光源の延伸方向と平行する、
請求項２に記載のバックライトモジュール。
【請求項５】
前記複数のサブ入光面の各々の延伸方向は、前記線光源の延伸方向と所定の角度をなす、
請求項２に記載のバックライトモジュール。
【請求項６】
前記光経路調整溝は、連続的なサブ入光面を有する、
請求項１に記載のバックライトモジュール。
【請求項７】
前記サブ入光面は、平面または曲面を含む、
請求項６に記載のバックライトモジュール。
【請求項８】
前記導光板本体と前記光経路調整溝とは、一体的に成形される、
請求項１に記載のバックライトモジュール。
【発明の詳細な説明】
【技術分野】
【０００１】
本発明は、バックライトモジュール（Backlight  Module）に関し、特に、輝度均一性を向上できるバックライトモジュールに関する。
【背景技術】
【０００２】
液晶ディスプレーは、主に液晶パネルとバックライトモジュールからなる。液晶パネルは、二つの透明基板と、この二つ透明基板の間に配置される液晶層とからなり、バックライトモジュールは、液晶パネルに必要な光源を提供し、液晶パネルに表示の効果を持たせる。具体的に言えば、バックライトモジュールは主に光源と導光板とからなる。そのうち、光源は、例えば、ランプチューブであり、導光板に光線を発し、導光板に入射した光線は、屈折または反射により導光板の出光面から射出し、液晶パネルに必要な光源を提供する。しかし、光の特性が原因で、導光板の入光側の隅部（即ち、ランプチューブの両端）には、通常、ビネッティング（Vignetting）問題が生じ、或いは、バックライトが液晶パネルに均一な輝度を提供することができず、これにより、液晶パネルの表示品質に影響を与える。
【発明の開示】
【発明が解決しようとする課題】
【０００３】
本発明の目的は、光線経路を調整することによって輝度均一性を向上できるバックライトモジュールを提供することにある。
【課題を解決するための手段】
【０００４】
前述の目的を達成するために、本発明によるバックライトモジュールは、導光板と線光源を含む。そのうち、導光板は、入光面を有する導光板本体と、この導光板本体の入光面に設けられる光経路調整溝とを含む。また、線光源は、入光面の近傍に配置され、光源を提供する。線光源からの光線は、光経路調整溝を通した後に入光面から導光板本体に入射する。本発明の好適な一実施形態において、光経路調整溝は互いに接続する複数のサブ入光面を含み、線光源からの光線はサブ入光面を経由して光経路調整溝に入射する。そのうち、各サブ入光面は、例えば、平面または曲面であり、各サブ入光面の延伸方向は、線光源の延伸方向と平行し、或いは、線光源の延伸方向と所定の角度をなす。導光体本体と光経路調整溝は一体成型により形成される。本発明は、光経路調整溝を採用し、且つ、光線が光経路調整溝により調整された後に入光面から導光板本体に入射するので、バックライトに液晶パネルに対して均一な輝度を提供させることができる。
【発明の効果】
【０００５】
本発明は、光線経路を調整することによって輝度均一性を向上できるバックライトモジュールを提供する。
【発明を実施するための最良の形態】
【０００６】
次に、添付した図面を参照しながら、本発明の好適な実施形態を詳細に説明する。
【０００７】
図１を参照する。図１に示すように、液晶ディスプレー２００は、バックライト１００と、バックライト１００に設置される液晶パネル１５０とからなる。そのうち、バックライト１００は、導光板１１０と線光源１２０を含む。導光板１１０は、入光面１１２ａを有する導光板本体１１２と、導光板本体１１２の入光面１１２aに設けられる光経路調整溝１１４とを含む。線光源１２０は、入光面１１２aの近傍に設置され、且つ線光源１２０は、光線１２２を提供する。線光源１２０からの光線１２２の経路Pは、光線１２２が光経路調整溝１１４により調整された後に入光面１１２aより導光板本体に入射する経路である。
【０００８】
線光源１２０は、例えば、ランプチューブ１２４及び反射マスク１２６からなる。そのうち、ランプチューブ１２４は入光面１１２aの近傍に配置され、且つランプチューブ１２４は光線１２２を発する。反射マスク１２６はランプチューブ１２４をマスクし、ランプチューブ１２４からの光線１２２を導光板１１０に反射し、バックライトモジュール１００の光源利用効率を向上する。また、導光板１１０及び線光源１２０を固定するために、更に金属フレーム１３０を使用してバックライトモジュール１００を包んでも良い。また、バックライトモジュール１００と液晶パネル１５０との間には光学フィルム組１４０を設置してもよく、これにより、液晶ディスプレー２００の表示品質を向上させる。
【０００９】
図１、図２A及び図２Bを参照する。本実施形態に係る光経路調整溝１１４は、互いに接続する複数のサブ入光面１１４aからなり、線光源１２０からの光線１２２は、サブ入射面１１４aを経由して光経路調整溝１１４に入射する。そのうち、各サブ入光面１１４aの延伸方向は、例えば、線光源１２０の延伸方向と平行し、且つ、各サブ入光面１１４aは、例えば、平面あるいは曲面である。
【００１０】
図３は図２Aの光線経路を示す図である。ここでは、図示を簡潔するために、線光源１２０の代わりに一つのランプチューブ１２４のみを示し、また反射マスク１２６及び反射マスク１２６により反射された光線経路を省略する。図３に示すように、ランプチューブ１２４から導光板１１０に光線１２２を提供するときに、まず、光線１２２がサブ入光面１１４aを経由して光経路調整溝１１４に入射し、次に、光経路調整溝１１４が光の屈折理論に基づいて光線１２２の経路Pの方向を調整し、その後、光線１２２が導向板本体１１２の入光面１１２aから導光板本体１１２に入射する。同様に、反射マスク１２６（図１に示されている）より反射された光線１２２も、サブ入光面１１４aを介して光経路調整溝１１４に進入し、その後、光経路調整溝１１４により光線１２２の経路Pの方向が調整されて、導光板本体１１２に入射する。よって、バックライトモジュール１００は、均一な輝度を得ることができ、ディスプレー２００の表示品質を向上させることができる。
【００１１】
図４Aは本発明の他の実施形態に係る導光板及びランプチューブの斜視図であり、図４Bは図４Aにおける導光板の局部拡大図であり、図５は図４Aにおける光線経路を示す図である。図４A、図４B及び図５に示すように、前記実施形態との相違点は、本実施形態の光経路調整溝１１４′がランプチューブ１２４の両端に対応する入光面１１２aに設置され、且つ光経路調整溝１１４′のサブ入光面１１４′aの延伸方向が線光源１２０の延伸方向とほぼ垂直することにある。よって、導光板１１０の上方から観察する場合、光線１２２がサブ入光面１１４′aを介して光線調整溝１１４′に入射した時に、光線１２２の進行経路Pの方向が光経路調整溝１１４′により調整される。従って、光線１２２の一部が導光板本体１１２に進入した後に、光線１２２の進行方向がランプチューブ１２４の両端に偏向し、バックライトモジュール１００においてランプチューブ１２４の両端に光線１２２が不足といったビネッティング（Vignetting）問題を改善することができる。
【００１２】
図６、図７及び図８は、それぞれ本発明の他の実施形態に係る光経路調整溝を示す図である。前述の実施形態によれば、本発明は光の屈折理論を基づいて光線１２２の経路Pを変更し、バックライトモジュールによい輝度均一性を持たせる。これを踏まえて、光経路調整溝１１４′は実際の要求に応じて変更されても良い。例えば、光経路調整溝１１４′において隣接する二つの光入射面１１４′aはライン１１４′ｂを有し、図６に示すように、このライン１１４′ｂは直線であってもよく、且つ、ライン１１４′ｂと導光板１１０の底面１１６とが角度θ１をなす。或いは、図７に示すように、光経路調整溝１１４′のそれらのライン１１４′ｂは非対称な曲線であってもよく、且つ、その配列方式が規則または不規則である。もちろん、光経路調整溝１１４′のそれらのライン１１４′ｂは対称に配列された曲線であっても良い。
【００１３】
図９Aは本発明の他の実施形態に係るバックライトモジュールを示す図であり、図９Bは図９Aの導光板の局部拡大図である。図９Aにおけるバックライトモジュール１００′及び図１におけるバックライトモジュール１００において、同じまたは相似する番号が同じ要素を示すので、ここではその説明を省略する。図９Aと図９Bに示すように、前述の実施形態との相違点は、本実施形態に係る光経路調整溝１１４′′は、連続的なサブ入光面１１４ｃを有し、且つ、該連続的なサブ入光面１１４ｃは、平面或いは曲面である。更に詳しく言えば、サブ入光面１１４ｃは、例えば、複数の不連続的なサブ入光面１１４′′aからなる曲面である。ランプチューブ１２４が光線１２２を発する時に、光線１２２は、例えば、曲面であるサブ入光面１１４ｃを介して光経路調整溝１１４′′に進入する。その後、光経路調整溝１１４′′は光線１２２の経路Pの方向を調整し、光線１２２は入光面１１２aから導光板本体１１２に入射する。よって、バックライトモジュール１００′は、良い輝度均一性を得ることができる。
【００１４】
なお、前述の実施形態において、導光板本体１１２及び光経路調整溝１１４′は、例えば、一体成形されたものであり、或いは、先に光経路調整溝１１４′を作成し、次にこの光経路調整溝１１４′を導光板本体１１２に設けるように作成されたものである。
【００１５】
ゆえに、本発明は、光経路調整溝を用いて光線を屈折することにより、導光板本体に入射する時の光線の経路を調整し、バックライトモジュールに均一な輝度を持たせるので、液晶ディスプレーの表示品質を向上させることができる。
【００１６】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００１７】
【図１】本発明の液晶ディスプレーを示す図である。
【図２Ａ】本発明の好適な一実施形態に係る導光板及びランプチューブの斜視図である。
【図２Ｂ】図２Ａにおける導光板の局部拡大図である。
【図３】図２Ａにおける光線経路を示す図である。
【図４Ａ】本発明の他の好適な実施形態に係る導光板及びランプチューブの斜視図である。
【図４Ｂ】図４Ａにおける導光板の局部拡大図である。
【図５】図４Ａにおける光線経路を示す図である。
【図６】本発明の一実施形態に係る光経路調整溝を示す図である。
【図７】本発明の一実施形態に係る光経路調整溝を示す図である。
【図８】本発明の一実施形態に係る光経路調整溝を示す図である。
【図９Ａ】本発明の他の実施形態に係るバックライトモジュールを示す図である。
【図９Ｂ】図９Ａにおける導光板の局部拡大図である。
【符号の説明】
【００１８】
１００、１００′  バックライトモジュール
１１０  導光板
１１２  導光板本体
１１２a  入光面
１１４、１１４′、１１４′′  光経路調整溝
１１４a、１１４′a、１１４′′a、１１４ｃ  サブ入光面
１１４′ｂ  ライン
１２０  線光源
１２２  光線
１２４  ランプチューブ
１２６  反射マスク
１３０  金属フレーム
１４０  光学フィルム組
１５０  液晶パネル
２００  液晶ディスプレー
【図１】
2007165289.tif 000003
【図２Ａ】
2007165289.tif 000004
【図２Ｂ】
2007165289.tif 000005
【図３】
2007165289.tif 000006
【図４Ａ】
2007165289.tif 000007
【図４Ｂ】
2007165289.tif 000008
【図５】
2007165289.tif 000009
【図６】
2007165289.tif 000010
【図７】
2007165289.tif 000011
【図８】
2007165289.tif 000012
【図９Ａ】
2007165289.tif 000013
【図９Ｂ】
2007165289.tif 000014